(57)【要約】ピクチャシステムのテレビジョン／モニタマルチピクチャに複数のピクチャを表示することが知られている。本発明は、各カメラがデイジーチェーンで結合されるとともに完全なピクチャの一部をＣＶＢＳラインで加えるピクチャシステムのマルチピクチャを提案する。主な相違点の一つは、テレビジョン／モニタが完全なピクチャを準備する必要がないことである。その理由は、各カメラが準備を行うからである。さらに、同期に関する問題も生じない。その理由は、各カメラが、同期もとられる「位置」でピクチャを加えるからである。
2004516750.tif 000002
【特許請求の範囲】
【請求項１】
ＣＶＢＳラインによってチェーンとしてリンクした少なくとも２個のカメラを具え、これによって、前記チェーンの第１カメラがシステムマスタとしての役割を果たし、他の１個以上のカメラが、前記チェーンの以前のカメラに対して同期をとることを特徴とするピクチャシステムのマルチピクチャ。
【請求項２】
前記ピクチャシステムのマルチピクチャが、以前のカメラに対する水平同期、垂直同期及びカラーキャリア位相同期をとる同期手段を具えることを特徴とする請求項１記載のピクチャシステムのマルチピクチャ。
【請求項３】
前記ピクチャシステムのマルチピクチャが、前記チェーンに結合したモニタを具えることを特徴とする請求項１記載のピクチャシステムのマルチピクチャ。
【請求項４】
少なくとも１個のカメラが、観察されるピクチャの一部を前記ＣＶＢＳラインに挿入する手段を具えることを特徴とする請求項１記載のピクチャシステムのマルチピクチャ。
【請求項５】
少なくとも１個のカメラが、観察されるピクチャの縮小版を前記ＣＶＢＳラインに挿入する手段を具えることを特徴とする請求項１記載のピクチャシステムのマルチピクチャ。
【請求項６】
少なくとも二つのピクチャを記録するステップと、前記ピクチャの情報をチェーンに結合するステップと、ピクチャ中にマルチピクチャを表示するステップとを有するピクチャ中にマルチピクチャを取得する方法。
【発明の詳細な説明】
【０００１】
技術の分野
本発明は、チェーンとして互いにリンクした少なくとも２個のカメラを具えるピクチャシステムのマルチピクチャに関する。
【０００２】
背景技術
チェーンとしてリンクされたカメラは、例えば、国際公開番号９８／３９７３９から既知であり、この場合、システムは、移動分析を伴うデータ処理に対して記載されている。互いに相違するカメラは、互いに相違する程度の情報成分を有する。
互いに相違するカメラからピクチャを受信するテレビジョン／モニタは、観察される全体のピクチャを形成する。
本発明の目的は、廉価に構成されるピクチャシステムのマルチピクチャを提供することである。
【０００３】
発明の開示
このために、本発明によるピクチャシステムのマルチピクチャは、請求項１の特徴を具える。
このようにして、ピクチャシステムのマルチピクチャは、ＣＶＢＳライン（復号ビデオベースバンド信号）を用いて取得される。ＣＶＢＳライン上で各ピクチャを加えることによって、各ピクチャは、最高フレーム速度を有する。最初のカメラはシステムマスタとしての役割を果たし、これによって、他の１個以上のカメラはそれぞれ、以前のカメラに対して同期がとられる。
【０００４】
各カメラが以前のカメラに対して同期をとることによって、互いに相違する遅延の問題が克服される。各カメラは、デイジーチェーンケーブルの位置でピクチャの一部を加え、この場合、カメラは同期もとられる。したがって、各同期位置及び挿入位置が同一となり、その結果、未知の遅延に関する問題が生じない。
これは、従来のシステムが有する問題を克服し、すなわち、そのようなシステムにおいて、この種の問題を対処する必要がある。その理由は、カラーキャリアの同期が約５ナノ秒の精度を必要とし、かつ、１００ｍの長さのケーブルは１ピコ秒の遅延が生じるおそれがあるからである。
【０００５】
遅延の総量を決定するケーブルの長さはもはや関係ない。テレビジョン／モニタがピクチャ形成中にマルチピクチャに対処する必要がある既知のシステムに代わりに、本発明のシステムにおいて、テレビジョン／モニタは、この状況に対処する必要がなく、したがって、著しく廉価になる。
本発明によるシステムにおいて、各カメラは、全体的なピクチャの「位置」でピクチャを形成する。
本発明の例を従属項に記載する。
【０００６】
発明を実施するための最良の形態
図１は、本発明によるピクチャシステムのマルチピクチャの一例を線形的に示す。
本例において、このシステムは、ＣＶＢＳ信号によってデイジーチェーンとして互いにリンクしたｎ個のかめらＣＡＭ１〜ＣＡＭｎを具える。最後のカメラＣＡＭｎの後、モニタＭＯＮが結合されて、結果的にモニタのスクリーンＳ上で目に見えるようになる。
各カメラは、観察されたピクチャの一部又はそのピクチャの縮小版をＣＶＢＳラインに挿入する。挿入されたピクチャの位置及びサイズは、カメラごとにプログラム可能である。
【０００７】
第１のカメラＣＡＭ１は、システムマスタとしての役割を果たし、他のカメラは、以前のカメラに対して水平同期及び垂直同期をとり、システム／マスタに対してカラー位相同期をとる。このようにして、互いに相違する遅延に対処することができる。ピクチャの挿入及び同期が同一位置及びタイミングで行われるので、遅延差が生じない。
【０００８】
図２は、ピクチャ中のミニピクチャである９個のピクチャ１〜９を有するピクチャスクリーンＰ２を示し、これによって、各ピクチャは、各カメラにおいてＣＶＢＳ信号で容易に最高フレーム速度となる。
【０００９】
図３は、以前のカメラ（ｘ−１）に対する入力部Ｉ３に結合したカメラＣＡＭ３ｘを線形的に示し、カメラＣＡＭ３ｘはカメラ（ｘ−１）に対して同期をとる。カメラは、センサＳＥＮ３のピクチャを記録し、記録したピクチャを、出力部Ｏ３のデイジーチェーン（ＣＶＢＳライン）に供給する。
入力部Ｉ３は、入力処理手段ＩＮＰＲＯＳ３に結合される。入力処理手段は、信号を出力処理手段ＯＵＴＰＲＯＳ３に供給する。出力処理手段は、センサＳＥＮ３からも信号を受信する。
このようにして、ピクチャシステムのマルチピクチャは、ＣＶＢＳライン（復号ビデオベースバンド信号）を用いて取得される。各ピクチャをＣＶＢＳライン上で追加することによって、各ピクチャは、最大フレーム速度を有する。
【００１０】
第１のカメラはシステムマスタとしての役割を果たし、これによって、他の１個以上のカメラはそれぞれ、以前のカメラに対して同期がとられる。
各カメラが以前のカメラに対して同期をとることによって、互いに相違する遅延の問題が克服される。各カメラは、デイジーチェーンケーブルの位置でピクチャの一部を追加し、この場合、カメラも同期がとられる。したがって、各同期位置及び挿入位置は同一であり、その結果、未知の遅延に関連する問題がない。
【００１１】
これは、従来のシステムが有する問題を克服し、すなわち、そのようなシステムにおいて、この種の問題を対処する必要がある。その理由は、カラーキャリアの同期が約５ナノ秒の精度を必要とし、かつ、１００ｍの長さのケーブルは１ピコ秒の遅延が生じるおそれがあるからである。
遅延の総量を決定するケーブルの長さはもはや関係ない。テレビジョン／モニタがピクチャ形成中にマルチピクチャに対処する必要がある既知のシステムに代わりに、本発明のシステムにおいて、テレビジョン／モニタは、この状況に対処する必要がなく、したがって、著しく廉価になる。
【００１２】
本発明によるシステムにおいて、各カメラは、全体的なピクチャの「位置」でピクチャを形成する。
当業者は、上記実施の形態が関連の本発明に制限されないことを十分理解する。当然、ピクチャ又はカメラの個数を変更することができる。本発明の主要アイテムの一つは、主要部に対する本発明によるシステムにおいて、カメラは、テレビジョン／モニタ及びそれ以外に表示すべきピクチャを準備する。
【図面の簡単な説明】
【図１】本発明によるピクチャシステムのマルチピクチャの一例を線形的に示す。
【図２】ピクチャ中のマルチピクチャを有するスクリーンの一例を線形的に示す。
【図３】本発明によるシステムで使用されるカメラの一例を線形的に示す。
【国際公開パンフレット】
2004516750.tif 000003
2004516750.tif 000004
2004516750.tif 000005
2004516750.tif 000006
2004516750.tif 000007
2004516750.tif 000008
2004516750.tif 000009
2004516750.tif 000010
2004516750.tif 000011
【国際調査報告】
2004516750.tif 000012
2004516750.tif 000013